(57)【特許請求の範囲】
【請求項１】
はめ歯歯車、ラック等の、歯を有する被加工物（Ｗ）のホブ切りのために形成されているフライス加工工具（１）であって、円筒形の工具本体（２）を備え、前記工具本体は回転軸線（Ｃ１、Ｃ３）を形成しかつ複数の円板形セグメント（８）を備え、前記セグメントの各々は、
接線方向に互いに間隔が開けられた複数のフライス加工インサート（２０）のためのハブ部分（１１）と外周カム（１２）と、
着脱自在に相互連結されている互いに隣接するセグメント（８）とを備え、
前記各々のセグメント（８）は、前記回転軸線（Ｃ１、Ｃ３）上に位置している貫通穴（５２）を有し、前記貫通穴（５２）は、中央ダクト（５１）が前記円筒形工具本体内に形成されているように、互いに対して方向付けられている、フライス加工工具において、
互いに隣接するセグメント（８）は、対の形で協働する雄部材（３６）及び雌部材（３７）のそれぞれ１つによって相互連結されており、
このフライス加工工具は、さらに第１の末端部（５）を備え、前記第１の末端部は、その一方の側部において、前記セグメントの中の第１のセグメント（８′）と着脱自在にかつ対の形で協働する雄部材（３６）及び雌部材（３７）のそれぞれ１つによって相互連結されており、かつ、その他方の側部において、トルク源からの全てのトルクが前記第１の末端部（５）を介して前記円筒形工具本体（２）に供給されるように、前記トルク源に対する、対の形で協働する雄部材（３６）及び雌部材（３７）のそれぞれ１つによる連結のための連結部材を有し、
前記中央ダクト（５１）は冷却媒質ダクトであることを特徴とするフライス加工工具。
【請求項２】
前記雄部材と前記雌部材は、前記回転軸線（Ｃ１、Ｃ３）が前記雄部材と前記雌部材とを貫通して延びるような仕方で配置されており、前記中央冷却媒質ダクト（５１）は、前記円筒形工具本体内でその長さに沿って前記雄部材と前記雌部材とを貫通して延びる請求項１に記載のフライス加工工具。
【請求項３】
前記第１の末端部（５）と前記第１のセグメント（８′）は、対の形で協働する前記雄部材（３６）及び前記雌部材（３７）のそれぞれ１つによって相互連結されており、前記第１の末端部の前記連結部材は同一のタイプの雄部材であり、前記雄部材と前記雌部材は、前記回転軸線（Ｃ１、Ｃ３）が前記雄部材と前記雌部材とを貫通して延びるような仕方で配置されている請求項２に記載のフライス加工工具。
【請求項４】
さらに第２の末端部（６）を備え、前記第２の末端部は、その一方の側部において、前記セグメントの中の最後のセグメント（８″）に対して着脱自在にかつ対の形で協働する雄部材（３６）及び雌部材（３７）のそれぞれ１つによって相互連結されており、その他方の側部において、支持物（４）内の回転可能な軸受のための軸受部材を有し、前記第２の末端部（６）と前記最後のセグメント（８″）は、対の形で協働する前記雄部材及び前記雌部材のそれぞれ１つによって相互連結されており、前記雄部材と前記雌部材と前記軸受部材は、前記回転軸線（Ｃ１、Ｃ３）が前記雄部材と前記雌部材と前記軸受部材とを貫通して延びるような仕方で配置されている請求項２又は３に記載のフライス加工工具。
【請求項５】
前記軸受部材は、前記支持物の首部軸受内の受け入れのための首部を備える請求項４に記載のフライス加工工具。
【請求項６】
前記ハブ部分（１１）は、２つの互いに反対側に位置した面平行な端面（１３、１４）を備え、前記第１の末端部と前記第２の末端部は、それぞれの互いに隣接する前記セグメントに面する面平行な端面を各々に備え、前記端面は前記回転軸線（Ｃ１、Ｃ３）に対して垂直に延び、前記雄部材と前記雌部材は各々に接触面を備え、前記接触面は大きな末端（４１）から小さな末端（４０）へ向かって収束し、前記回転軸線を横切る横断面において、非真円の曲線を形成し、前記雄部材と前記雌部材の前記接触面は、前記雄部材と前記雌部材とが互いに一体状にさせられる時に、その前記２つの互いに隣接するセグメント（８）を、前記面平行な端面が互いに突き当たる前記回転軸線（Ｃ１、Ｃ３）の周りの前記非真円の横断面によって心出しされかつ互いに角度的に決定されている末端位置に向かって方向付ける請求項２〜５のいずれか一項に記載のフライス加工工具。
【請求項７】
前記雄部材の前記接触面は、前記雌部材の前記接触面に対して半径方向に過大な寸法を有し、したがって、前記工具の組み立て済み状態では、前記雌部材の前記接触面が前記雄部材の前記接触面に対して圧力を伴って突き当たる請求項６に記載のフライス加工工具。
【請求項８】
前記工具の組み立て済み状態では、前記雄部材の前記小さな末端（４０）と前記雌部材の前記小さな末端（４０）との間に間隙（４４）が存在する請求項６又は７に記載のフライス加工工具。
【請求項９】
前記雄部材と前記雌部材の個々の接触面は、少なくとも２°かつ多くとも２０°の大きさの収束角（β）で収束する請求項６〜８のいずれか一項に記載のフライス加工工具。
【請求項１０】
前記個々の接触面（３８、３９）は三角形の横断面形状を有し、この横断面形状は、次式によって定義され、
【数２】
0005967583.tif 000003
この式中で、
ｎは任意の点Ｐにおけるこの曲線に対する法線であり、
ｘ及びｙは従来の座標系の座標であり、
γは法線ｎと座標系のｘ軸との間の角度であり、
２ａは内接円ＩＣに対する個々の隅の選択された離心距離（又は、膨らみ）であり、
Ｄｍは内接円の直径と離心距離２ａとの合計である、請求項６〜９のいずれか一項に記載のフライス加工工具。
【請求項１１】
互いに隣接するセグメント（８）の対が、複数のドローインボルト（９）によって軸方向に圧縮されて配置されており、前記ドローインボルトは、頭部（２５）とシャンク（２３）とを含み、前記シャンクは、雄ねじ（２４）を伴って形成されており、かつ、前記セグメントの中の１つのセグメント内の穿孔（２７）を貫通させられており、かつ、その他のセグメント内のねじ山付き穴（３５）内のその雄ねじと締め付けられている請求項１〜１０のいずれか一項に記載のフライス加工工具。
【請求項１２】
前記雄部材と前記雌部材は、それぞれに、そのセグメント（８）と末端部とに一体化されている請求項１〜１１のいずれか一項に記載のフライス加工工具。
【請求項１３】
前記個別のセグメント（８）は、端面（１３）から軸方向に突き出ている雄部材（３６）と、他方の端面（１４）内に開口する雌部材として機能する凹み（３７）とを伴って形成されている請求項１〜１２のいずれか一項に記載のフライス加工工具。
【請求項１４】
各セグメントは、前記中央冷却媒質ダクト（５１）から外周カム（１２）内のフライス加工インサートへの冷却媒質の供給のための分岐ダクト（５８）を備える請求項１〜１３のいずれか一項に記載のフライス加工工具。
【請求項１５】
前記分岐ダクト（５８）は、前記中央冷却媒質ダクトから前記外周カム内の切屑溝（２１）に半径方向に延びる少なくとも１つの内側穿孔（５９、６０）を備える請求項１４に記載のフライス加工工具。
【請求項１６】
前記第１の末端部（５）と前記第２の末端部（６）は、それぞれに前記中央冷却媒質ダクト（５１）に対する冷却媒質の供給と除去のための各々の連結ダクト（６２）を備える請求項１〜１５のいずれか一項に記載のフライス加工工具。
【発明の詳細な説明】
【技術分野】
【０００１】
本発明は、例えば、はめ歯歯車、ラック等の、歯を有する被加工物のホブ切りのために形成されているフライス加工工具に関する。
【背景技術】
【０００２】
ホブ切りのためのフライス加工工具が、円筒形の工具本体に沿った螺旋状の線に沿ってフライス加工インサートが配置されている一体状の工具として提供されることが多い。こうした工具の製造においては、時として、フライス加工インサートのための機械座(machine seat)に接近すること、又は、フライス加工インサートが工具本体内に一体化されている場合にはフライス加工インサート自体に接近することが、問題となることがあるだろう。これは、フライス加工インサートの螺旋状の線の軸方向に連続した旋回の間が狭いことがあるという事実に基づいている。この理由から、円筒形の工具本体が複数の円板形セグメントによって構成されており、かつ、各々のセグメントが一般的に螺旋状の線の形のフライス加工インサートの１つの旋回を採用する、工具の形状でホブ切り用のフライス加工工具が提供される。
【０００３】
こうしたセグメントホブの複数の異なる具体例がすでに公知である。特許文献１では、複数の別々のセグメントで構成されている円筒形工具本体を備えるセグメントホブが開示されている。この別々のセグメントは、緩い別々の嵌合ボルトによって互いに対して回転可能な形で固定されている。各々の末端には、末端部(end piece)があり、セグメントのパッケージ全体とこの末端部とが長い貫通ねじによって一体状に保たれている。全てのセグメントの中央を貫通して、駆動軸が延び、この駆動軸は、その一方の末端において工作機械に連結されており、この工作機械は駆動軸を回転させるように作動可能である。駆動軸からその工具へのトルクの伝達のために、駆動軸上の溝の中にウェッジが座ぐりしてあり、かつ、このウェッジは別のセグメントの内部溝と係合している。
【０００４】
この従来の公知のセグメントホブの問題点は、被加工物において形成される表面の機械加工精度が特定の用途の場合に十分には高くはないということである。
【先行技術文献】
【特許文献】
【０００５】
【特許文献１】独国特許出願公開第１０２００５０２９０５３号明細書
【発明の概要】
【発明が解決しようとする課題】
【０００６】
したがって、本発明の目的が、上述の問題点を全体的又は部分的に回避することである。本発明によって、この目的は、特許請求項第１項に記載のフライス加工工具によって達成される。有利な実施態様が従属特許請求項に示されている。
【課題を解決するための手段】
【０００７】
例えば、はめ歯歯車、ラック等の、歯を有する被加工物のホブ切りのために形成されている本発明によるフライス加工工具は、円筒形の工具本体を備え、この円筒形の工具本体は回転軸線を形成しかつ複数の円板形セグメントを備える。このセグメントの各々は、接線方向に互いに間隔が開けられた複数のフライス加工インサートのためのハブ部分と外周カムとを備え、互いに隣接するセグメントは着脱可能な形で相互連結されている。各々のセグメントは、回転軸線上に位置している貫通穴を有し、この貫通穴は、中央ダクトが円筒形工具本体内に形成されているように、互いに対して方向付けられている。互いに隣接するセグメントはねじれ剛性的に相互連結されている。このフライス加工工具は、さらに第１の末端部を備え、この第１の末端部は、その一方の側部において、セグメントの中の第１のセグメントと着脱自在にかつねじれ剛性的に相互連結されており、かつ、その他方の側部において、トルク源からの全てのトルクが第１の末端部を介して円筒形工具本体に供給されるように、トルク源に対するねじれ剛性的な連結のための連結部材を有する。中央ダクトは冷却媒質ダクトである。
【０００８】
本発明は、トルク源からのトルクが非常に小さい遊びを伴ってセグメントに伝達されるフライス加工工具によって上述の目的が実現されることが可能であるという着想に基づいている。工具スピンドルに連結されている中央駆動軸を介して各々の個別セグメントにトルクが供給される公知の装置では、フライス加工工具の取り付けにおいてセグメントが駆動軸上にねじ込まれることを可能にするために、セグメントと駆動軸との間に遊びが存在することが多い。これは、さらに、その軸上のウェッジと、各セグメント内に存在する溝との間の嵌合にも当てはまる。したがって、こうした公知の工具は、駆動軸とセグメント内の中央穴との間の半径方向の緩みと、駆動軸のウェッジとセグメント上の対応する溝との間の接線方向の緩みとを有することが多い。これらの緩みは、被加工物の機械加工精度に悪影響を与える振動の問題の原因となることがある。
【０００９】
互いに隣接するセグメントがねじれ剛性的に相互連結されていることと、本発明が第１の末端部を有し、この第１の末端部が、その一方の側部において、セグメントの中の第１のセグメントとねじれ剛性的に相互連結されており、かつ、その他方の側部において工具スピンドルにねじれ剛性的に連結可能であることとによって、トルクすなわち回転が、上述の公知の技術の場合よりも著しく小さい遊びを伴って工具スピンドルからセグメントに伝達されることが可能である。これは、さらに、既知のフライス加工工具の貫通駆動軸が省かれることが可能であることも意味する。この代わりに、セグメントの中を貫通して延びかつ駆動軸が中を埋めていなければならなかった中央ダクトが、冷却媒質のために使用されることが可能である。このことがフライス加工工具の効率的な内部冷却を可能にし、その結果として、フライス加工工具が、温度変動によって引き起こされる寸法の変化の影響を受けにくくなる。したがって、本発明によるフライス加工工具は振動する傾向がより低く、既知の上述の種類の工具よりもより一定不変の寸法を維持することが可能であり、このことが所望の改善された機械加工精度を実現する。
【００１０】
本発明によるフライス加工工具は、鋼鉄、鋳鉄、アルミニウム、チタン、四六黄銅等の金属の被加工物の切屑除去機械加工に適している。
【００１１】
本発明によるフライス加工工具は、特にホブ切り(hobbing)によって、被加工物の歯をフライス加工するために形成されている。通常は、円筒形の被加工物から開始され、この被加工物の外周において残留部分が歯を形成するように空間がフライス加工される。さらに、当然であるが、ラックのような被加工物の別の形状も実現可能である。したがって、本発明によるフライス加工工具は、さらに、ラックのフライス加工のための同様の方法においても使用可能だろう。
【００１２】
本発明によるフライス加工工具は複数の円板形のセグメントを備え、これらの円板形セグメントは円筒形工具本体に接合可能である。円筒形工具本体に関しては、セグメントの半径方向において最も外側の点が仮想的な円筒の包絡面上に位置しているという事実が言及される。一般的に、セグメントの半径方向において外側の部分の間に空間があり、したがって、工具本体自体の外側表面は円筒の包絡面に従わない。
【００１３】
各々のセグメントは、ハブ部分と、このハブ部分の半径方向に外側に位置している外周カムとを備える。この外周カムには、接線方向（言い換えれば、円周方向）において互いに間隔が開けられている複数のフライス加工インサートが配置されている。これらのフライス加工インサートは外周カムと共に一体的に形成されていてもよく、又は、外周カムと同一の構成要素から機械加工されていてもよく、又は、例えばはんだ付け等によって、外周カム内に恒久的に配置されていてもよい。他の実施態様では、外周カムは、交換可能なフライス加工インサートのための座を備えることもある。この交換可能なフライス加工インサートは任意の適切なタイプであってよく、例えば、超硬合金、サーメット、セラミックス等の硬質材料であってよい。このフライス加工インサートは、例えば固定ねじ又は締め付け要素によって、任意の適切な方法で外周カムに取り付けられるだろう。フライス加工インサートは１つ又は複数の刃先を備え、この刃先は割り出し可能及び／又は反転可能であるだろう。
【００１４】
外周カムは、ハブ部分の周りを一周して延び、一般的には外周カム、又は、その中に配置されているフライス加工インサートが、特定のピッチの螺旋線に従うだろう。外周カムのピッチは全てのセグメントにおいて一定不変かつ同一であるか、又は、変化するだろう。しかし、完全な一周が、幾つかの連続した相互連結したセグメントにわたって延びるように、外周カムが完全には一周しては延びずに部分的にだけ延びる実施態様も可能である。特定の用途では、内部はめ歯歯車のための二重スリットカッティング(duplex slit cutting)又は三重スリットカッティング(triplex slit cutting)の場合のように、外周カムが０°のピッチを有する実施態様、又は、外周カムがセグメントの外周に沿って間欠的に延びる実施態様を使用することが可能である。
【００１５】
本発明では、互いに隣接するセグメントがねじれ剛性的に相互連結されている。したがって、互いに隣接するセグメントは、互いに対して相対的に回転することを相互に防止されている。これらのセグメントは、例えばねじ、ボルト、ナットによって、又は、例えば雄−雌タイプの固着連結細部によって、任意の適切な仕方で着脱自在に相互連結されるだろう。これらの連結細部は、これらの連結細部の幾何学的形状によって、及び／又は、これらの連結細部の間の摩擦によって固着しているだろう。一般的に、これらのセグメントは、軸方向かつ半径方向にも、すなわち、全方向にも、互いに対して不動であるように、着脱自在に相互連結されている。
【００１６】
本発明によるフライス加工工具は、第１の末端部を備え、この第１の末端部は、その一方の側部において、セグメントの中の第１のセグメントと着脱自在にかつねじれ剛性的に相互連結されており、かつ、その他方の側部において、トルク源に対するねじれ剛性的な連結のための連結部材を有する。
【００１７】
一般的に、この末端部は円板形の要素であるが、より長い軸方向の長さを有することがあり、例えば、円形の横断面を有する円筒形であることがある。この末端部は、適切な直径を有することがあり、例えば、セグメントと同一の直径、又は、セグメントのハブ部分と同一の直径を有することがある。ハブ部分と同一の直径を有する末端部の利点が、末端部と第１のセグメントとの間の接触面が可能な限り大きくされることが可能であり、このことがより安全な連結に寄与するということである。しかし、例えば正方形、多角形、又は、別の適切な横断面のような他の軸方向の横断面も可能である。
【００１８】
この末端部は、その一方の側部において、トルク源、一般的は工作機械の工具スピンドルに連結可能である。末端部は、その他方の側部に、最も近い隣接するセグメントとの相互連結のための連結部材を有する。上記目的のための連結部材は、末端部に恒久的に取り付けられるか、又は、末端部内に一体化されることがあり、又は、緩い連結部材が、トルク源に対するその末端部の連結のために使用されることもある。この連結部材は、その幾何学的形状によって、及び／又は、摩擦によって、固着しているだろう。一般的に、末端部は、トルク源／セグメントに対して相対的に軸方向及び半径方向（すなわち、全方向）にも不動であるように、それぞれに、トルク源に対して着脱自在に相互連結可能であり、セグメントに相互連結されている。末端部の両側部上の連結部材は同一のタイプか又は異なるタイプであるだろう。一実施態様では、この連結部材は、セグメントの相互連結のために使用される連結部材と同一のタイプである。有利であることに、このことは、フライス加工工具の全ての総合連結された部分の間の連結が同一の属性を有することを含意し、このことが、フライス加工工具内の振動の発生の減少と、より簡単な製造とに寄与する。一実施態様では、末端部の両側部上の連結部材は、横断面の幾何学的形状が同一である限りは、同一である。しかし、工具スピンドルに対する連結のための連結部材は、寸法、円錐角、及び／又は、１つ又は複数の貫通穴のサイズ及び存在に関して、第１の末端部をセグメントに連結するための連結部材とは異なる。
【００１９】
本発明では、円筒形工具本体は、第１の末端部を介してトルク源からトルクが供給される。この工具本体を回転させるのは、このトルク源からのトルクである。しかし、本発明の範囲内では、他の供給源からのトルクを別の方法で工具本体に供給することが可能である。工具本体の個別のセグメントが、工作機械からのトルク伝達が末端部を経由して全てのセグメントに対して生じさせられることが可能であるように、工具本体の個別のセグメントが互いにねじれ剛性的に相互連結されている。
【００２０】
これによって、フライス加工工具は、従来のフライス加工工具では全セグメントの各々に対するトルク（回転）の供給のために全セグメントを貫通して延びる貫通駆動軸を欠いている。この代わりに、本発明によるフライス加工工具は、全セグメントを貫通して延びる中央ダクトを有する。各々のセグメントにおいて、このダクトは、回転軸線上に位置している中央貫通穴によって形成されている。この空の空間は冷却媒質ダクトを形成する。冷却媒質として、例えば空気、水、又は、油のような気体又は液体のような、あらゆる適切な材料が使用されてよい。
【００２１】
このダクトは、冷却媒質が中で静止しているか又は循環している閉鎖された部屋であることもある。さらに、このダクトを冷却媒質の外部源に連結して、連続的に又は必要に応じてこのダクトを通って冷却媒質が流入及び流出することを可能にすることも可能である。
【００２２】
本発明によるフライス加工工具の一実施態様では、各々のセグメントは中央冷却媒質ダクトから外周カムのフライス加工インサートへの冷却媒質の供給のための分岐ダクトを備える。このようにして、工具本体が内側からより大きな面積にわたって冷却されることが可能であることが有利に実現される。さらに、フライス加工インサートはより効率的に冷却されることが可能であり、必要とされる冷却媒質の量は、従来の外側からの冷却の場合よりも少ない。これによって、上記実施態様によるフライス加工工具は、温度変動によって引き起こされる寸法変化の影響をさらに受け難くなる。さらに、より効率的な形で切屑が除去されることが可能である。
【００２３】
本発明によるフライス加工工具の一実施態様では、フライス加工工具は、さらに、第２の末端部を備える。この第２の末端部は、その一方の側部において、セグメントの中の最後のセグメントに対して着脱自在にかつねじれ剛性的に相互連結されており、その他方の側部において、支持物内の回転可能な軸受のための軸受部材を有する。この第２の末端部のおかげで、本発明によるフライス加工工具は、第１の末端部が機械のスピンドルに連結されかつ第２の末端部がその機械の支持物側に連結される形で、工作機械内に容易に取り付けられることが可能である。一実施態様では、第２の末端部は第１の末端部と同じタイプであり、その突き出た連結部材においてだけ第１の末端部と異なっている。しかし、特定の用途では、第２の末端部の少なくとも特定の部分をより小さな寸法（例えば、より小さな直径）にすることが可能である。これは、支持端部としてのその能力における第２の末端部が、駆動端部としてのその能力における第１の末端部よりも負荷が小さいことが可能だからである。
【００２４】
本発明によるフライス加工工具の一実施態様では、互いに隣接するセグメントは、対の形で協働する雄部材及び雌部材のそれぞれ１つによって相互連結されており、雄部材と雌部材は、回転軸線が雄部材と雌部材とを貫通して延びる形で配置されている。中央冷却媒質ダクトは、円筒形工具本体内のその長さに沿って雄部材と雌部材とを貫通して延びる。協働する雄部材と雌部材の各々だけによってセグメントが対の形で相互連結されているので、複数の貫通ねじが使用される具体例において時として見出されることがある、複雑かつ不正確な嵌合という問題が回避される。これに関して、雄部材と雌部材の中空の設計が、冷却媒質ダクトの中央配置を容易なものにする。
【００２５】
２つの末端部を有する実施態様では、有利なことに、さらに、末端部とそれぞれの最も近い互いに隣接するセグメントとが、対の形で協働する上記雄部材及び雌部材のそれぞれ１つによって相互連結されている。有利なことに、これは、フライス加工工具の相互連結された部分の全ての間の連結が同一の属性を有することを意味し、これは、フライス加工工具における振動の発生の減少とより容易な製造とに貢献する。相互連結されている構成要素の間の軸方向及び半径方向の遊びに関する好適な属性を有する連結部材を使用する場合には、さらに、有利なことに、同一の種類の連結部材がその工具の全構成要素の相互連結のために使用される場合には、工具全体の好適な属性が得られる。これに関して、連結部材が実質的に同一の幾何学的形状又は横断面を有する限り、連結部材は同一のタイプであるだろうが、しかし、例えば寸法、角度、及び／又は、雄部材の内部設計に関しては、異なることもある。
【００２６】
一実施態様では、一方では、セグメントとの相互連結のための末端部の連結部材が、セグメント間の連結部材と同一のタイプであり、かつ、他方では、トルク源との相互連結のための連結部材が、当該のトルク源に連結されることが意図されている工具のための標準的な設計である。この実施態様は、この場合に末端部が工具本体とトルク源との間のアダプタとして機能することが可能なので、有利である。
【００２７】
一実施態様では、ハブ部分は、２つの互いに反対側に位置した面平行な端面を備え、第１の末端部と第２の末端部は、それぞれの互いに隣接するセグメントに面する各々の面平行な端面を備え、この端面は回転軸線に対して垂直に延びる。さらに、雄部材と雌部材の各々は接触面を備え、これらの接触面は大きな末端から小さな末端に収束し、回転軸線を横切る横断面において、非真円の曲線(out-of-round curve)を形成する。雄部材と雌部材の接触面は、雄部材と雌部材とが互いに一体状にされている時に、その２つの互いに隣接するセグメントを、回転軸線の周りにおいて非真円の横断面によって心出しされかつ互いに角度的に決定されておりかつ面平行な端面が互いに突き当たる末端位置に向かって方向付ける。
【００２８】
この実施態様では、雄部材が雌部材と嵌合させられている時には、接触面の円錐性と相互寸法とのために、雄部材の接触面と雌部材の接触面との間に半径方向の間隙が最初には存在する。雄部材と雌部材とが部分的距離を伴って互いに一体状にされ終わると、接触面が互いに接触し、その接触が、一般的に、点形状、線形状、又は、接触面の副区域(subarea)の形である。一体状にされ続けると、接触面の少なくとも一部分が互いに対してスライドする。そうする中で、セグメントと末端部がそれぞれに、非真円の横断面によって角度的に決定される位置に向かって回転させられる。これに加えて、雄部材と雌部材は、これらが工具本体の回転軸線の周りに配置されているので、セグメントが回転軸線上に互いに心出しされている位置に、そのセグメントを半径方向に方向付けることがさらに可能である。雄部材と雌部材は、それぞれに互いに合致する隣接セグメントのハブ部分と末端部とにおける面平行な端面によって決定されている軸方向の末端位置に共に配置される。さらに、この末端位置では、通常は、接触面の一部分だけが互いに接触している。
【００２９】
したがって、面平行な端面と組み合わされた、本発明のこの実施態様における形成され配置されている雄部材と雌部材とによって、互いに隣接するセグメントと、末端部と、トルク源に対する末端部との非常に正確な相互配置が、全方向において、すなわち、角度方向と半径方向と軸方向とにおいて、有利な形で実現される。言い換えると、工具に含まれるフライス加工インサートの最も正確な空間的位置決めが実現される。このことは非常に高い位置決めの信頼性を必然的に伴い、これは、工具の高い寸法的精度に寄与する。このようにして、良好な機械加工が、フライス加工インサートによって切削された刃溝の間に実現される歯の滑らかで寸法的に正確なフランク表面の形状が確保されることを結果的に生じさせる。さらに、有利には、セグメントの対ごとに１つずつの協働する雄部材と雌部材しか必要でないので、容易な装着と取り外しとが実現される。
【００３０】
本発明の一実施態様では、雄部材と雌部材はそのセグメントと共に一体化されている。本明細書で使用されているこのような概念「一体化された」は、広範な意味で解釈されなければならない。標準的な実施態様では、個別のセグメントは、例えば鋼鉄のような単一の中実の被加工物の機械加工によって製造されるだろう。しかし、同一又は異なる材料の２つ（又は３つ以上）の構成要素を最初に恒久的に合体させ、最終段階になってはじめて最終的な形状決定機械加工を行うことも可能である。適正なセグメントにおける連結手段の一体化が、高い精度と寸法的正確性とを有するセグメントを作成するための良好な可能性を実現する。
【００３１】
以下の説明では、本発明が実施形態の事例によってさらに詳細に説明され、添付されている概略的な図面が参照される。この様々な実施形態では、同一の照合記号が、同一の又は一致する構成要素のために使用されている。
【図面の簡単な説明】
【００３２】
【図１】図１は、はめ歯歯車のフライス加工中に工作機械内に連結されている時の、本発明によるフライス加工工具の実施形態の斜視図である。
【図２】図２は、組み立て済み状態における図１によるフライス加工工具の斜視図である。
【図３】図３は、図２によるフライス加工工具内に含まれているセグメントの斜視図である。
【図４】図４は、図３に示されている同じセグメントの他方の側からの斜視図である。
【図５】図５は、図３と図４に示されている同じセグメントの側面図である。
【図６】図６は、この工具の互いに協働する雄部材と雌部材の実施形態の横断面形状を示す幾何学的図である。
【図７】図７は、この工具の一実施形態に含まれている別のタイプのセグメントの図３の斜視図に対応する斜視図であり、このセグメントは第１のタイプのセグメントの間に交互に挿入される。
【図８】図８は、本発明によるフライス加工工具の第２の実施形態に含まれているセグメントの斜視図である。
【図９】図９は、図８におけるセグメントと同じセグメントの平面図である。
【図１０】図１０は、図３と図８による互いに連結されている２つのセグメントの縦断面図である。
【図１１】図１１は、組み立て済み状態における第２の実施形態によるフライス加工工具の斜視図である。
【図１２】図１２は、図１１によるフライス加工工具の縦断面である。
【発明を実施するための形態】
【００３３】
図１では、はめ歯歯車を形成するための被加工物Ｗの機械加工中の本発明の実施形態に従って作られたフライス加工工具１が概略的に示されている（図を明瞭にするために、歯と切削された刃溝とが仕上げ機械加工状態で示されている）。言い換えると、本発明は、セグメントホブの形で例示されている。
【００３４】
この実施形態によるフライス加工工具１の図示されている使用では、工具１の第２の端部が、軸受ブラケット４の形態の支持物の中に回転可能な形で支持されている。第１の端部は、工作機械（図示されていない）内のチャック等に連結可能である。この図では、上記端部の連結が概略的に示されている。実際には、上記端部は、当該の工作機械内の適切な連結インターフェイスに嵌合するように形成されている。
【００３５】
この工作機械はトルク源として機能し、工具１に対して回転を伝達し、これについてはさらに詳細に後述する。これによって、工具１は、被加工物Ｗがより明確には中心軸線Ｃ２上で方向Ｒ２に旋回可能又は回転可能であるのと同時に、方向Ｒ１に軸Ｃ１上で回転可能である。通常は、このフライス加工工具は、被加工物よりも著しく早い速度で駆動される。例えば、この工具は、１００回転で回転させられることがあり、一方、被加工物は１回転で回転させられる。この工具の送りが、双方向の矢印「ｆ」によって概略的に示されているように、中心軸線Ｃ２に対して平行に行われる。選択された回転方向Ｒ１、Ｒ２によって、その送りが上部末端位置から下方の方向に生じる。
【００３６】
図２では、フライス加工工具１はその全体においてより詳細に示されている。工具１内に含まれている複数のセグメント８が、一体となって円筒形のフライス加工本体すなわち基本本体２を形成し、セグメント８内に含まれている個別のフライス加工インサート２０が、その円筒の外側に沿った連続した螺旋状の線に従う。セグメント８は１対の末端部の中間に配置されており、この末端部の第１の末端部が５で示されており、第２の末端部が６で示されている。図示されている実施形態では、工具スピンドルに対する連結のための第１の末端部５の連結部材は、いわゆるＣＯＲＯＭＡＮＴ  ＣＡＰＴＯ（商標）継ぎ手の一部分の形状であり、この継ぎ手は、ＳＡＮＤＶＩＫ  ＣＯＲＯＭＡＮＴ  ＡＢ製の工具内に含まれることが多い。第２の末端部６は、工作機械内の回転可能な軸受のための首部３に対して連結される。図２では、回転軸線Ｃ１上に中央に位置している冷却ダクト５１も示されている。
【００３７】
次に、図３から図６を参照しながら、本発明のこの実施形態に含まれているセグメントを説明する。図示されている実施形態では、互いに隣接するセグメント８が、回転軸線Ｃ１上に中央に配置されている連結部材の各々と冷却ダクト５１とによって相互連結されている。雄タイプの連結部材が各セグメントの一方の側部から突き出ており、雌タイプの連結部材がそのセグメントの他方の側部上で各セグメントの中に延びる。図３では、２つのタイプのねじ、すなわち、ドローインボルト(draw-in bolt)９と分解ねじ(disassembly screw)１０が示されており、これらはセグメント８の取り付けと取り外しのためにそれぞれに使用され、これについてはさらに詳細に後述する。
【００３８】
各々のセグメントは、ハブ部分１１と、ハブ部分１１から半径方向に外側に配置されている外周カム１２とを含む。ハブ部分１１は２つの面平行な端面１３、１４を含む（図５を参照されたい）。
【００３９】
この２つの端面１３、１４は中心軸線Ｃ３に対して垂直な平面内を延び、この中心軸線Ｃ３は、工具１の取り付け状態では、組み立てられた工具の回転軸線Ｃ１と一致する。言い換えると、端面１３、１４は互いに平行である。外側においては、ハブ部分１１は、部分的に円筒形である包絡面１５によって形成されている。この包絡面１５は軸Ｃ３と同中心である。
【００４０】
外周カム１２がハブ部分１１の包絡面１５の外側を半径方向に延び、この外周カム１２は特定の半径方向の長さを有する。外周カム１２はハブ部分１１に沿って一周にわたって延び、かつ、予め決められたピッチの螺旋状の線に従う。このピッチは、ハブ部分の平面端面１３と、カム１２のリング形の前面１８との間の、角度αによって示されている（図５を参照されたい）。αは１〜１０度の範囲内であることが適切である。カム１２は、幅広の基部から尖った外側部分に向かって先細になるように、横断面が楔形である形状である（図１０と図１２を参照されたい）。カム１２は平面の表面２２内で始まって終わり、この表面２２は、互いに隣接するセグメント内のカムの類似の表面に対して押しつけられることが可能である。したがって、全体的に、個別のセグメントのカムは、組み立てられた工具の連続的なねじ山形のねじ構成を形成する。
【００４１】
外周カムの互いに反対側の傾斜したフランク表面には、交換可能なフライス加工インサート２０のための複数の座の凹みが作られている。図示されている具体例では、フライス加工インサートは超硬合金で作られており、ねじによって支持表面に対して突き当たるように従来の方法で座の中に取り付けられている。この座は、接線方向に、言い換えれば、円周方向に、互いに間隔を開けられている。
【００４２】
フライス加工インサート２０によって取り除かれる切屑の排出を容易にするための切屑溝が、各々の座とフライス加工インサート２０との前方に回転可能な形で配置されている。全ての第２の座とフライス加工インサート２０とが、それぞれに、カム１２の一方のフランク表面内に位置しており、かつ、全ての第２が他方のフランク表面内に位置している。
【００４３】
本発明の図示されている実施形態では、セグメントは、対の形で協働する雄部材と雌部材の形態の連結手段によって互いに対して回転可能な形で固定されており、雄部材と雌部材は個別のセグメントと共に一体化されている。各々の雄部材と雌部材は、中心軸線Ｃ３に対して垂直な平面内に見てとれる非真円の横断面形状をそれぞれに有する接触面３８、３９を含む。さらに、これらの接触面は、大きな末端から小さな末端へ向かって収束する。この具体例では、各々のセグメントは、一方では、そのセグメントの一方の端面１３から軸方向に突き出る雄部材３６と、他方では、ハブ部分１１の他方の端面１４内に開口する凹み３７の形状の雌部材とを含む。雌部材の小さな端部が輪になった境界線４０ａによって表されており、その大きな端部が同様の輪になった境界線４１ａによって表されている。同様の形で、境界線４１ｂは雄部材３６の大きな端部を表し、一方、小さな端部は境界線４０ｂによって表されている。言い換えれば、接触面３８、３９は同一の方向に収束し、すなわち、フライス加工工具の支持端部からそのスピンドル端部に収束する。
【００４４】
示されている具体例では、雄部材と雌部材は中心軸線Ｃ３上に中央に配置されている。しかし、本発明の別の実施形態では、通常は工具の回転軸線Ｃ１と同一である中心軸線Ｃ３が、特定の方向にずれた雄部材と雌部材とを貫通して延びるように、雄部材と雌部材と配置することが可能である。雄部材と雌部材の中心軸線の周りの中央位置が、有利なことに、雄部材と雌部材の幾何学的形状のより単純な設計をもたらす。この中央位置は、さらに、より小さい雄部材と雌部材とを可能にし、このことは、有利なことに、より剛直なセグメントを意味する。
【００４５】
この具体例では、雄部材と雌部材の非真円の横断面形状は、多角形、より明確には、三角形、すなわち、三角形(three-cornered)の形に作られている雄部材と雌部材とによって実現されている。簡単に述べると、この形状は、３つの丸い隅を有する曲線によって決定され、これらの３つの丸い隅は、これらの隅の曲率半径よりも大きな曲率半径を有する３つの湾曲した円弧線に対して正接である内接円から突き出る（図６を参照されたい）。
【００４６】
幾何学的に、この曲線は次式によって定義され、
【数１】
0005967583.tif 000002
前式中で、
ｎ＝任意の点Ｐにおけるこの曲線に対する法線、
ｘ及びｙ＝従来の座標系の座標、
γ＝法線ｎと座標系のｘ軸との間の角度、
２ａ＝内接円ＩＣに対する個々の隅の選択された離心距離（又は、膨らみ）、
Ｄｍ＝内接円の直径と離心距離２ａとの合計である。
【００４７】
上記三角形の横断面形状を有する雄形及び雌形の継ぎ手は、それ自体としては既知であり、切削機械加工のための工具において使用されている。商業的な使用においては、この継ぎ手はＣＯＲＯＭＡＮＴ  ＣＡＰＴＯ（商標）と命名されており、ＳＡＮＤＶＩＫ  ＣＯＲＯＭＡＮＴ  ＡＢ製の工具内に含まれることが多い。しかし、セグメントの雄部材と雌部材は、ＣＯＲＯＭＡＮＴ  ＣＡＰＴＯ（商標）に関する既存の標準にしたがって製造されている雄部材と雌部材とから、それぞれに、寸法、円錐角、及び／又は、貫通穴に関して異なる。
【００４８】
２つの接触面３８、３９の収束角β（図５を参照されたい）は、少なくとも２°かつ多くとも２０°の大きさでなければならない（それぞれに、β／２＝１°及び１０°）。適切には、この収束角は６°〜１４°の範囲内である。図示されている具体例では、それぞれの接触面に沿った任意の法線が直線である。（上述の間隔内であることによって）収束角が適度である時には、雄部材と雌部材とが大きな困難（＝大きな力）だけによって分離させられることが可能である限りは、雄部材と雌部材との間の係合が自己固着状態となる。他方では、その間隔の外側の過剰に大きな収束角が、空間的に決定された末端位置に向かう本発明の所望のガイダンスをより困難にする。
【００４９】
示されている本発明の実施形態では、雄部材と雌部材の接触面３８、３９は非常に高い寸法精度に仕上げられており、より明確には、適切には０．０１ｍｍよりも精細である寸法精度に仕上げられている。これは、有利なことに、いわゆる適応制御方式の機械加工によって、好ましくは、シャンクエンドミルによるフライス加工の形で実現されるだろう。こうした機械加工は、被加工物が約０．３ｍｍの材料許容誤差で形成され終わった後に、幾つかの連続的な段階で行われる。上記材料許容誤差の削減が行われた後に、少なくとも１つのさらに別の段階で材料がさらに取り除かれる前に、寸法公差の測定が行われる。このようにして、接触面が、０．００１ｍｍまでの寸法精度が全面的に与えられることが可能である。
【００５０】
雄部材３６は中空又は管状であり、その内側穴は、セグメントの反対側の雌部材３７に連結する。したがって、中心軸線Ｃ３上に中央に位置している貫通穴５２が形成されている。雄部材３６の内側表面４２が円筒形である。円筒表面４２と外側表面３８は共通のリング表面４３に連結し、この共通リング表面４３は雄部材３６の自由末端を形成する。
【００５１】
図示されている実施形態では、上述したように、２つのタイプのねじが、セグメント８の取り付けと取り外しのためにそれぞれに使用される。この目的のために、各々のセグメントは幾つかのねじ山付き穴３５と幾つかのねじ山なしの穿孔２７とを備えている。さらに、２つの異なる基本タイプのセグメント８が使用され、これらのセグメントは、組み立て済みの工具において、交互に配置されており、又は、言い替えると、あらゆる第２のセグメントが第１のタイプであり、かつ、あらゆる第２のセグメントが第２のタイプである。この２つのタイプのセグメントは、それぞれのセグメントタイプの穴のパターンが互いに対してずれているという点でだけ互いに異なる。これは、図３と図７との間の比較において理解され、図３は第１のタイプのセグメント８を示し、図７は第２のタイプのセグメントを示す。したがって、図３によるセグメント８では、穿孔２７はカム１２の平面表面２２に位置しており、一方、図７によるセグメント８では、ねじ山付き穴３５がその対応する位置に配置されている。上記の２つの異なるセグメントタイプ８、８ａが交互に配置されている組み立て済みの工具では、ねじ山付き穴３５と貫通穿孔２７は、さらに、互いに対して交互にかつ同一直線上に位置している。
【００５２】
フライス加工工具の第２の実施形態では、セグメント８、８ａは分岐ダクト５８を備えている。第２の実施形態に含まれているこのセグメントは図８と図９とに示されている。分岐ダクトは、その工具の組み立て済み状態においては中央冷却媒質ダクト５１を形成するセグメントの貫通穴５２から、外周カム１２に向かって外方に延び、フライス加工インサート２０のための座で開口する。図示されている実施形態では、この分岐ダクト５８は切屑溝２１の中に開口し、この切屑溝２１は、回転方向で見た場合に、各々の座の前方に位置している。
【００５３】
示されている第２の実施形態では、各々の分岐ダクト５８は２つの直線上の副ダクトとして形成されている。内側の副ダクトは、中央穴５１から、ねじ穴３５と穿孔２７との間のハブ部分１１を通過して、カム１２に向かって外方に延び、切屑溝２１の中の特定の箇所で開口する。この箇所は、ねじ山付き穴３５又は穿孔２７にまったく交差せずにこの箇所から中央穴に向かって直線的に穿孔することが可能であるように選択されている。内側の副ダクト５９の外側部分は、使用される冷却媒質の漏洩を防止するために塞がれている。
【００５４】
他方の外側ダクト６０は、冷却媒質の供給が切削プロセスにとって望ましい当該の切屑溝２１内の位置から、内側分岐ダクト５９の適切な箇所に向かって、内方に直線的に延びる。したがって、外側分岐ダクト６０を直線的にかつ１つの段階で穿孔することも可能である。
【００５５】
この２つの副ダクト５９、６０はともに、セグメントの中央穴５２から、工程中における冷却媒質の供給に適している各切屑空間内の箇所への、分岐ダクト５８の形状の連結ダクトを形成する。外側副ダクト６０の開口部にはノズルが備えられている。
【００５６】
図示されている実施形態では、分岐ダクト５８はあらゆる第２の切屑溝２１に到達する。他の実施形態が、サイズと、幾何学的形状と、おそらくはセグメントの相互連結のための穿孔の相互間の長さとに応じて、別の個数の分岐ダクトを有するだろう。例えば、外側分岐ダクト６０は各切屑溝に開口するだろうし、この開口部はフライス加工インサートに面するだろう。さらに、異なる切屑溝からの２つの外側分岐ダクトが同一の内側分岐ダクト５８の形に変形することも可能である。
【００５７】
内部冷却で十分でありかつ各切屑空間内の冷却が必要とされない工程における本発明によるフライス加工工具の第２の実施形態に含まれるセグメントの使用を可能にするために、外側の副ダクト６０は着脱可能な栓６１によって塞がれることが可能である。
【００５８】
図示されている実施形態によるフライス加工工具は、さらに、すでに上述したように、第１の末端部５を備える（図１１と図１２を参照されたい）。図示されている実施形態では、第１の末端部は回転対称の要素であり、一体的にかつ同じ１つの材料断片内に形成されている軸方向に連続して配置されている３つの部分、すなわち、内側連結部分５３と、グリッパ溝部分５４と、外側連結部分５５とを備える。
【００５９】
第１の末端部５は、その一方の内側側部において、セグメント８の第１のセグメント８′と着脱自在にねじれ剛性的に相互連結されている。このために、第１の末端部５は、セグメント８が有する雌部材と同一のタイプの雌部材３７の形状である連結部材を備え、この連結部材についてはより詳細に上述してある。この雌部材は、末端部の内側連結部分５３内に配置されている。この内側連結部分５３は円板の形状を有し、３つの部分のうちの最大の直径を有し、この直径は、セグメントのハブ部分が有する直径と同一の直径である。
【００６０】
工具のセグメントから見て、内側連結部分５３の後方において軸方向に外方に最も接近した形で、第１の末端部５のグリッパ溝部分５４が続く。さらに、この部分は円板の形状を有するが、その直径は内側連結部分５３の直径よりも小さい。グリッパ溝部分５４の円筒形の包絡面の外側には、工具交換装置と協働するためのノッチ５６が配置されている。
【００６１】
工具のセグメントから見て、グリッパ溝部分の後方において軸方向の外方に最も接近した形で、第１の末端部５の外側連結部分５５が続く。この外側連結部分５５は、セグメント８が備える雄部材と同一のタイプの雄部材の形状である、例えば工具スピンドルのような、トルク源に対するねじれ剛性的な連結のための連結部材を備え、この雄部材についてはより詳細に上述してある。したがって、外側連結部分の雄部材はセグメント８の雄部材３６と同一のタイプである。外側連結部分の雄部材は、横断面の幾何学的形状が同一である限りは、セグメントの雄部材と同一のタイプである。しかし、工具スピンドルに対する連結のための雄部材は、セグメントの相互連結のための雄部材又は第１の末端部をセグメントに連結するための雄部材に比較して、寸法、円錐角、及び／又は、貫通穴のサイズに関して異なっているだろう。
【００６２】
第１の末端部５は、３つのねじ山付き穴３５を含むが、滑らかな穿孔を含まない（図示されていない）。
【００６３】
連結ダクト６２が第１の末端部５を貫通して延びる。
【００６４】
さらに、図示されている実施形態によるフライス加工工具は、既に上述したように、第２の末端部６を備える。この第２の末端部６は、最後の１つのセグメント８″との着脱自在でねじれ剛性的な相互連結のための連結部材がその一方の側（内側）から突き出す、円板形の要素である。図示されている実施形態では、上記連結部材は、セグメント８が備える雄部材と同一のタイプの雄部材３６であり、この雄部材についてはより詳細に上述してある。
【００６５】
第２の連結部材が、第２の末端部６の他方の側部すなわち外側側部に配置されている。図示されている実施形態では、この第２の連結部材は、セグメント８が備える雌部材と同一のタイプの雌部材３７であり、これについてはより詳細に上述してある。この雌部材３７は、円板形の第２の末端部６から突き出るスリーブ状の部分の中に位置している。
【００６６】
第２の末端部は、その雌部材を介して首部５７に連結される。連結ダクト６２が第２の末端部６を貫通して延びる。
【００６７】
第２の末端部６の中には、合計で６つの穴、すなわち、セグメント８、８ａ（図示されていない）の場合と同一のタイプの３つのねじ山付き穴３５と３つの滑らかな穿孔２７とが含まれる。
【００６８】
説明している実施形態によるフライス加工工具の装着のために、複数のドローインボルト９が使用される（図３と図７を参照されたい）。各々のこうしたねじは、雄ねじ２４を有するシャンク２３と、このシャンクよりも大きな直径を有する頭部２５とを含む。この頭部内には、例えば六角ヘッドレンチ(hex head wrench)のためのキーグリップ２６が形成されている。
【００６９】
各々のセグメントに関して、有利には、３つのドローインボルト９が使用され、これらのドローインボルトはハブ部分１１内の貫通穴又は貫通穿孔２７の中で使用可能である。これらの穿孔は、ねじ山が無い限り、滑らかである。各々の穿孔は、ねじ頭部２５のために設けられておりかつ拡大された直径を有する皿穴２８を有する形に形成されている。さらに明確に述べると、幅広の皿穴２８がハブ部分の前方端面１４内に開口し、一方、より幅狭である部分２９（図５と図８を参照されたい）が、ハブ部分の後方端面１３内に開口する。穿孔２７の前方部分と後方部分とが互いに異なる直径を有することによって、リング形の肩部３０が形成されており、この肩部に対して、ねじ頭部２５が押しつけられることが可能である。３つの穿孔２７が等間隔に隔てられており、すなわち、１２０°の角ピッチを有する。
【００７０】
分解ねじ１０は頭部を欠いており、前方の雄ねじ３１と後方の円筒形部分３２とを含み、この円筒形部分３２の直径は雄ねじの外径よりも小さい。さらに明確に述べると、この円筒形部分３２は、ドローインボルト９のキーグリップ２６の中に送り込まれることが可能であるような小さい直径を有する。さらに、分解ねじ１０はその前方端部にキーグリップ３３を含むということに留意されたい。
【００７１】
３つの追加的な穴３５がハブ部分１１を軸方向に貫通して延び、これらの穴３５は、滑らかな穿孔２７とは対照的に、雌ねじ３５の形状のねじ山を含む（図７を参照されたい）。それぞれのねじ９、１０の雄ねじ２３、３１は互いに類似しており、したがって、ねじ９、１０は穴３５の中に個別的に（しかし、同時にではなく）固定されることが可能である。さらに、３つのねじ山付き穴３５は相互に等間隔に隔てられており、すなわち、１２０°の角ピッチを有する。さらに、穴３５は２つの互いに隣接する穿孔２７の間の中間に位置しており、これは、各々の個別の穿孔２７と２つの互いに隣接するねじ山付き穴３５との間の角ピッチが６０°の大きさであることを含意する。
【００７２】
セグメントの空間的位置が面平行な端面との組み合わせにおいて雄部材と雌部材によって決定されるので、滑らかな穿孔とねじ山付き穴との寸法公差が大きい。これらの相互的な整合は、セグメントの相互的な位置にとって重要ではない。ねじ９の目的は、互いに反対側に位置した端面１３、１４が対の形で互いに密着した状態に押し付け合わされるまで、雄部材と雌部材とが一体状にされるように、セグメント８の組を一体状に押し合わせることである。したがって、ねじ９は組み立て済みの工具の中に残留する。これらのねじの圧縮力が、有利なことに、個別のセグメントの間の連結を特に堅固なものにする。
【００７３】
本発明の別の実施形態では、セグメントの組の各セグメントがそれぞれの末端位置に到達し終えた後に、これらのねじが再び緩められて取り外されることが可能である。さらに、例えば外側のクランプ等によって、ねじを使用せずに別の方法でセグメントを一体的に押し付け合わせることも可能である。
【００７４】
分解ねじ１０は、説明されている実施形態では、組み立て済み工具内に含まれないが、起こりうる工具の取り外しに関連して、１つ又は複数のセグメントが互いに分離させられなければならない時まで、使用されないだろう。
【００７５】
これらの様々な構成要素を組み立て済みの工具の中に取り付けることが、次の仕方で行われるだろう。
【００７６】
第１の段階では、タイプ８の第１のセグメント８′上の雄部材３６が第１の末端部５内の雌部材３７と係合させられ、これに加えて、３つの頭部付きねじ９がそのセグメント内の３つの穿孔２７を貫通させられ、末端部内のねじ山付き穴３５内に締め付け固定される。このようにして、そのセグメントは末端部５に対して大きな力で押し付けられることが可能であり、したがって、その後方端面１３は末端部５の前面に密着するように押し付けられる。
【００７７】
第２の段階では、タイプ８ａのセグメント上の雄部材３６が、タイプ８の第１のセグメント内の前方に開口した雌部材３７と係合させられ、この後に、そのセグメントは３つのねじ９によって互いに密着状態に押し付け合わされる。これに関連して、各々のねじはセグメント８ａ内の穿孔２７を貫通させられ、セグメント８内のねじ山付き穴と同一直線上に位置しているねじ山付き穴３５の中に締め付け固定される。その次に、所望の個数のセグメントが互いに連結され終わるまで、この手順が繰り返される。最終段階では、３つのねじ９が、第２の末端部６を最後のセグメント８″に押し付けて固定するために動かされる。
【００７８】
図１０では、第１の実施形態によるフライス加工工具の２つの互いに隣接するセグメントが、組み立て済みの状態で示されている。Ｔが個々のセグメントの厚さを示し、この厚さは端面１３、１４の間の軸方向距離によって決定される。さらに、この大きさは、カム１２のピッチと一致する。凹み３７の深さがＬ１で表されており、一方、雄部材３６の軸方向長さがＬ２で表されている。Ｌ１はＴの少なくとも３０％かつ多くとも８０％の大きさでなければならない。Ｌ１がＴの５０〜７０％の範囲内であることが好ましい。Ｌ１はＬ２よりも小さい。雄部材３６が工具の組み立て済み状態において付属凹みと係合する時には、雄部材の自由端部４３と凹みの底部との間に間隙４４が存在する。言い換えると、雄部材はその凹みの底部には接触しない。このようにして、有利なことに、２つの隣接するセグメントの面平行な表面が互いに突き当たる本発明による所望の軸方向末端位置が、雄部材と雌部材によって邪魔されることなしに、到達されることが確保される。しかし、小さな間隙４４とは別に、この説明している実施形態では、中央冷却ダクト５１を形成するのは、中空の雄部材である。
【００７９】
最後に、組み立て済みのフライス加工工具は工作機械内に装着されることが可能である。図示されている実施形態では、この機械は、上述したいわゆるＣＯＲＯＭＡＮＴ  ＣＡＰＴＯ（商標）の形状の連結インターフェイスを有する。この場合に、ＣＯＲＯＭＡＮＴ  ＣＡＰＴＯ（商標）タイプの第１の末端部の雄部材は、場合に応じて、末端部のグリッパ溝部分５４のノッチに係合する工具交換装置によって、その機械の工具スピンドルに連結されることが可能である。この工具の他方の末端は、工作機械の軸受ブラケット内に位置している第２の末端部６の首部を伴って配置されている。そうすることによって、回転軸線（Ｃ１、Ｃ３）が雄部材と雌部材とその首部とを貫通して延びる。
【００８０】
この工作機械が回転駆動される時に、この工作機械はトルク源として機能する。トルクは工具スピンドルを経由して第１の末端部に供給され、このトルクは、これらの間のねじれ剛性的な連結によって有効化される。第１のセグメント８′が第１の末端部５にねじれ剛性的に連結されており、かつ、後続のセグメント８、８ａの各々が前方の次のセグメントにねじれ剛性的に連結されているので、工具スピンドルのトルクは工具の全セグメントに伝達され、したがって工具が回転させられる。したがって、これによって、トルク源からの全てのトルクが、第１の末端部を経由して円筒形工具本体に供給される。
【００８１】
これに関して、各セグメントの相互間の、及び、末端部とそれぞれのセグメントとの間のねじれ剛性的な連結が、連結部における小さい緩みと遊びとのおかげで、振動の悪影響を受けない工具の回転を確実なものにする。
【００８２】
さらに、異なるセグメントが、非常に高い剛性をもつ円筒形本体を一体的に形成し、これは、異なるフライス加工インサートの空間的配置が非常に正確に決定されるだろうということを示唆する。この結果として、被加工物Ｗにおいて形成されるべき歯のフランク表面が非常に良好な寸法公差を得るだろう。中央冷却ダクトのおかげで、機械加工プロセス又は他の事象によって引き起こされる温度差にも係わらずに、工具の正確な寸法が維持されることが可能である。この効果は、セグメントを貫通して延びる分岐ダクト５８を有する実施形態において、さらに改善されるだろう。
【００８３】
例えば損傷したセグメントを交換するための、工具の想定可能な分解が、分解ねじ１０によって実現されることが可能である。しかし、最初に、現在は最も外側にあるセグメント（例えば、最後のセグメント８″）内に見えているねじ９が、ねじを緩めて取り外される。その次に、分解ねじが、最も外側のセグメント（例えば、最後のセグメント８″）内のねじ山付き穴３５の中にねじ込まれる。そうすることによって、分解ねじは、背後のセグメントのドローインボルト９に対して押し付けられるだろう。さらに明確に述べると、個々のねじの円筒形部分３２は、ねじ頭部のキーグリップ２６の底部に対して押し付けられるだろう。その３つのねじ１０を概ね均等に締めることによって、末端部６の雄部材がセグメント８ａ内の雌部材の外に正確に軸方向に確実に取り外されることが確保される。さらに別の段階では、異なるセグメントが、３つの同時に有効な分解ねじ１０によって、同じ仕方で互いから分離させられることが可能である。
【図１】
0005967583.tif 000004
【図２】
0005967583.tif 000005
【図３】
0005967583.tif 000006
【図４】
0005967583.tif 000007
【図５】
0005967583.tif 000008
【図６】
0005967583.tif 000009
【図７】
0005967583.tif 000010
【図８】
0005967583.tif 000011
【図９】
0005967583.tif 000012
【図１０】
0005967583.tif 000013
【図１１】
0005967583.tif 000014
【図１２】
0005967583.tif 000015